(57)【要約】本発明は、オンライン・オフラインシステムにおける電子商品券流通方法に関し、商品券データベース及び商品券サービスサーバを含む商品券サービスシステムのための、有無線ネットワークを通じた通信端末による要求に応じて電子商品券の販売を管理する電子商品券流通方法において、a）前記通信端末から利用者の購入要請を受信するステップと、b）前記利用者が購入した電子商品券に対する決済の状況を調査するステップと、c）前記利用者が決済を要求する場合、前記利用者が購入した電子商品券を決済して、前記購入された電子商品券を前記利用者に対して発行するステップと、d）前記発行された商品券の情報を商品券データベースに保存するステップと、e）前記商品券の購入明細を前記利用者にメッセージの形態で知らせるステップとを含み、電子商品券管理システム及び移動通信システムを一つに統合してそれぞれに対応する作業が処理されることによって、電子商品券流通システムを単純化すると同時に、迅速且つ正確な電子商品券の購入、贈与、及び使用が可能となる。
2005539327.tif 000002
【特許請求の範囲】
【請求項１】
有無線ネットワークを通じた利用者の通信端末による要求に応じて電子商品券の販売、贈与、及び使用を管理する商品券サービスシステムにおいて、
前記通信端末からの電子商品券に関する購入、贈与、及び使用動作を管理する商品券サービスサーバと、
前記商品券サービスサーバにアクセスされ、電子商品券の情報を保存して、前記商品券サービスサーバからの電子商品券の利用問い合わせに対する応答を処理する商品券データベースと、
前記商品券サービスサーバにアクセスされると同時に、前記有無線ネットワークを通じて前記利用者の通信端末にアクセスされて、電子商品券の購入、贈与、及び使用に関する利用者インターフェース機能を行うネットワークサーバとを含む、商品券サービスシステム。
【請求項２】
前記商品券サービスサーバは、
前記通信端末から利用者の購入要請を受信する手段と、
前記利用者が購入した電子商品券に対する決済の状況を調査する手段と、
前記利用者が決済を要求する場合、前記利用者が購入した電子商品券を決済して、前記購入された電子商品券を前記利用者に対して発行する手段と、
前記発行された商品券の情報を前記商品券データベースに保存する手段と、
前記商品券の購入明細を前記利用者にメッセージの形態で知らせる手段とを含む、請求項１に記載の商品券サービスシステム。
【請求項３】
前記商品券サービスサーバは、
前記通信端末から利用者の贈与要請を受信する手段と、  
前記利用者が所有している商品券の存在状況を前記商品券データベースに問い合わせ、前記存在状況を判断する手段と、
前記利用者の商品券が確認された場合には、贈与する商品券の情報及び譲受人に関する情報を受信する手段と、
前記利用者が選択した商品券を前記譲受人に伝送する手段と、
前記利用者の商品券の情報を更新し、前記譲受人の商品券の情報とともに、該更新された情報を前記商品券データベースに保存する手段と、
前記商品券の贈与情報を前記利用者にメッセージの形態で知らせる手段とを含む、請求項１に記載の商品券サービスシステム。
【請求項４】
前記通信端末から利用者の使用要請を受信する手段と、
前記利用者が所有している商品券の存在状況を前記商品券データベースに問い合わせ、前記存在状況を判断する手段と、
前記商品券で代金を決済し、該決済が可能であるかどうかを判断する手段と、
前記決済が可能な場合には、前記商品券の使用を許可して、前記代金情報による決済を処理する手段と、
前記利用者の商品券の情報を決済し、該決済情報を更新し、該更新された情報を前記商品券データベースに保存する手段と、
前記商品券使用情報を前記利用者にメッセージの形態で知らせる手段とを含む、請求項１に記載の商品券サービスシステム。
【請求項５】
商品券データベースと及び商品券サービスサーバを含む商品券サービスシステムのための、有無線ネットワークを通じた通信端末による要求に応じて電子商品券の販売を管理する電子商品券流通方法において、
a）前記通信端末から利用者の購入要請を受信するステップと、
b）前記利用者が購入した電子商品券に対する決済の状況を調査するステップと、
c）前記利用者が決済を要求する場合、前記利用者が購入した電子商品券を決済して、前記購入された電子商品券を前記利用者に対して発行するステップと、
d）前記発行された商品券の情報を前記商品券データベースに保存するステップと、
e）前記商品券の購入明細を前記利用者にメッセージの形態で知らせるステップとを含む、電子商品券流通方法。
【請求項６】
前記利用者の会員認証の状況を調査するステップをさらに含む、請求項５に記載の電子商品券流通方法。
【請求項７】
前記a）ステップにおいて、前記購入要請には、利用者が所望する商品券の種類、金額、枚数についての情報が含まれる、請求項５に記載の電子商品券流通方法。
【請求項８】
前記c）ステップにおいて、前記購入された電子商品券の決済代金には前記利用者の通信端末の使用料金が合算され、該合算された代金及び料金が決済される、請求項５に記載の電子商品券流通方法。
【請求項９】
前記e）ステップにおいて、前記メッセージの形態はSMS（Short Message Service）形式またはMMS（Multimedia Message Service）形式を含む、請求項５に記載の電子商品券流通方法。
【請求項１０】
商品券データベース及び商品券サービスサーバを含む商品券サービスシステムのための、有無線ネットワークを通じた通信端末による要求に応じて電子商品券の贈与を管理する電子商品券流通方法において、
a)  前記通信端末から利用者の贈与要請を受信するステップと、
b)  前記利用者が所有している商品券の存在状況を前記商品券データベースに問い合わせ、前記存在状況を判断するステップと、
c)  前記利用者の商品券が確認された場合には、贈与する商品券の情報及び譲受人に関する情報を受信するステップと、
d)  前記利用者が選択した商品券を前記譲受人に伝送するステップと、
e)前記利用者の商品券の情報を更新し、前記譲受人の商品券の情報とともに、該更新された情報を前記商品券データベースに保存するステップと、
f)前記商品券の贈与情報を前記利用者にメッセージの形態で知らせるステップとを含む、電子商品券流通方法。
【請求項１１】
前記a）ステップとb）ステップとの間に、前記利用者の会員認証の状況を調査するステップをさらに含み、
前記b）ステップにおいて、前記利用者が所有している商品券がない場合には、商品券の購入処理を行うステップをさらに含む、請求項１０に記載の電子商品券流通方法。
【請求項１２】
前記c）ステップの後、前記商品券と共に送達するギフトの有無を判断するステップと、
前記判断に応じて、前記追加ギフトがある場合には、それに関する情報を受信するステップと、
前記d）ステップにおいて、前記商品券と前記追加ギフトを前記譲受人に伝送する、請求項１０に記載の電子商品券流通方法。
【請求項１３】
前記追加ギフトは、携帯電話の着信音、テーマカード、バックグランドミュージック、及びキャラクターを含む、請求項１２に記載の電子商品券流通方法。
【請求項１４】
前記f）ステップにおいて、前記メッセージの形態はSMS（Short Message Service）形式またはMMS（Multimedia Message Service）形式を含む、請求項１０に記載の電子商品券流通方法。
【請求項１５】
商品券データベース及び商品券サービスサーバを含む商品券サービスシステムのための、有無線ネットワークを通じた通信端末による要求に応じて電子商品券の使用を管理する電子商品券流通方法において、
a）前記通信端末から利用者の使用要請を受信するステップと、
b）前記利用者が所有している商品券の存在状況を前記商品券データベースに問い合わせ、前記存在状況を判断するステップと、
c）前記商品券で代金を決済し、前記決済が可能であるかどうかを判断するステップと、
d）前記決済が可能な場合には、前記商品券の使用を許可して、前記代金情報による決済を処理するステップと、
e）前記利用者の商品券の情報を決済し、決済情報を更新し、該更新された情報を前記商品券データベースに保存するステップと、
f）前記商品券使用情報を前記利用者にメッセージの形態で知らせるステップとを含む、電子商品券流通方法。
【請求項１６】
前記a）ステップと前記b）ステップとの間に、前記利用者の会員認証の状況を調査するステップをさらに含み、
前記b）ステップにおいて、前記利用者が所有している商品券がない場合には、商品券の購入処理を行うステップをさらに含む、請求項１５に記載の電子商品券流通方法。
【請求項１７】
前記f）ステップにおいて、前記メッセージの形態はSMS（Short Message Service）形式またはMMS（Multimedia Message Service）形式を含む、請求項１５に記載の電子商品券流通方法。
【請求項１８】
前記a）ステップにおける前記使用要請は、前記利用者の移動通信端末から伝送される、請求項１５に記載の電子商品券流通方法。
【請求項１９】
前記移動通信端末は、クレジットカード機能を有する、請求項１８に記載の電子商品券流通方法。
【請求項２０】
前記a）ステップにおいて、前記使用要請は、前記利用者のカード使用に応じてチェーンストアのカード端末から伝送される、請求項１５に記載の電子商品券流通方法。
【請求項２１】
前記利用者のカードは、通信サービスプロバイダ及び流通会社を含むサービスプロバイダの会員認証用会員証である、請求項２０に記載の電子商品券流通方法。
【請求項２２】
前記利用者のカードは、ブランドカードである、請求項２０に記載の電子商品券流通方法。
【請求項２３】
前記a）ステップにおいて、前記使用要請は、前記利用者がオンラインショッピングモールを含むオンラインショップで所望の商品を購入し、前記電子商品券を使用したオンライン決済を要求する場合に、前記オンラインショップから伝送される、請求項１５に記載の電子商品券流通方法。
【発明の詳細な説明】
【技術分野】
【０００１】
本発明はオンライン・オフラインシステムにおける電子商品券流通方法に関し、特に電子商品券管理システム及び移動通信システムを一つのシステムに統合して電子商品券流通システムを単純化すると同時に、迅速且つ正確に電子商品券の購入、贈与、及び使用を行いうる、オンライン・オフラインシステムにおける電子商品券流通方法に関する。
【背景技術】
【０００２】
現在、流通している商品券としては、特定デパートが発行した商品券、靴や衣類のような特定商品を製造する製造業者が発行した商品券、さらには図書商品券や文化商品券のように、商品券の販売を所望するチェーンストアと契約した特約店によって発行され且つ流通される商品券がある。この中で、文化商品券は、芝居や映画に関するものである。その他にも、多様な種類の商品券が現在も使用され、企画されている。
【０００３】
また、このような商品券と類似した概念として、航空券や列車の切符などのような搭乗券、各種スポーツ競技の観覧券、利用者がそれを提示した時に所定の額を割り引くための割引券などがある。以下、本明細書における商品券とは、交換価値をもった手形であって、使用者が取扱店に渡して所望の商品を購入する、または該商品について割引いてもらうことができる手形を言う。
【０００４】
従来の実物の商品券の金額は、一般に発行工程や流通/回収工程を含み、販売又は流通のために紙面上に印刷される。まず、発行工程に関し、各発行特約店は、所望のフォーマットに商品券を図案化し、発行するが、この工程で、偽造防止に必要な各種手段が商品券に講じられる。次に、このように印刷された商品券は、多くの販売特約店に配布され、商品券の購入者は、所定の時間に各販売特約店を直接訪問して商品券を購入し、さらに、商品券の購入者は、商品券を取扱店で使用し、商品券は回収された後、廃棄される。この流れと共に、現在は、インターネットをはじめとした通信環境の飛躍的な発展によって、遠隔的にインターネットを通じて商品券を購入した後、宅配サービスによって受け取るシステムも提案されている。
【０００５】
しかし、このような実物の商品券流通システムは、偽造防止に必要な費用と共に、商品券の購入のために指定された時間に指定された販売特約店を訪問しなければならないという、時間的及び空間的な制約があって不便であった。
【０００６】
このような従来の商品券の問題点を解決するために電子商品券が開発された。ここで、利用者は、インターネット、電話、携帯電話、無人自動化機械、クレジットカードチェック機で自身の銀行口座またはクレジットカードから所望の金額を引き出したり、現金のように使用するために特定のフォームに分かりやすく記載するための電子商品券番号を有する。
【０００７】
この場合、利用者が管理会社のホストにアクセスして自身の銀行口座番号またはクレジットカード番号を入力すれば、運営機関のホストはこの入力工程を検出してVAN（Value Added Network）会社にアクセスし、VAN会社は、利用者が自身の銀行口座番号を入力した場合には、当該提携金融機関に所定額の現金の引出しを指示して管理会社の通帳に現金を振込み、利用者が自身のクレジットカード番号を入力した場合には、クレジットカード現金ローンサービスと同じ方法で電子商品券を認可して管理会社の銀行口座に金を振り込んだ後、利用者にクレジットカード現金ローンサービスと同様な方法で請求する。
【０００８】
その結果、利用者は、印刷された電子商品券を用いて管理会社で指定した店での購買が可能であり、購入による残金は現金で受けることができる。このような電子商品券を受けとった時、店は管理会社のホストにアクセスして電子商品券の使用状況を確認し、管理会社は、電子商品券を回収して金額を店の銀行口座に振り込む。
【発明の開示】
【発明が解決しようとする課題】
【０００９】
しかし、現在の電子商品券流通システムでは、購入者が上述した多様な手続きを経て電子商品券を購入し、使用しなければならないため、管理会社のホストとVAN会社の間における接続、及びVAN会社と提携金融機関とクレジットカードプロバイダとの間における接続がデータベースシステムにアクセスされなければならない。
【００１０】
さらに、移動通信方法を介して電子商品券を購入し、贈与し、使用する場合には上述した工程に移動通信サービスの提供を受けるという工程を追加しなければならないため、相互の接続がさらに複雑になり、円滑な電子商品券の使用を妨害する。
【００１１】
したがって、本発明の目的は、電子商品券管理システム及び移動通信システムを一つのシステムに統合して電子商品券流通システムを単純化すると同時に、迅速且つ正確に電子商品券の購入、贈与、使用を行いうる、オンライン・オフラインシステムにおける電子商品券流通方法を提供することにある。
【００１２】
また、本発明の他の目的は、電子商品券管理システム及び移動通信システムを一つのシステムに統合して使用者が通信端末を通じて電子商品券を利用する場合に、別途の決済工程を必要とせず、迅速且つ正確に電子商品券電子商品券の購入、贈与、使用を行いうる、オンライン・オフラインシステムにおける電子商品券流通方法を提供することにある。
【課題を解決するための手段】
【００１３】
本発明の態様において、商品券データベース及び商品券サービスサーバを含む商品券サービスシステムのための、有無線ネットワークを通じた通信端末による要求に応じて電子商品券の販売を管理する電子商品券流通方法は、a）前記通信端末から利用者の購入要請を受信するステップと、b）前記利用者が購入した電子商品券に対する決済の状況を調査するステップと、c）前記利用者が決済を要求する場合、前記利用者が購入した電子商品券を決済して、前記購入された電子商品券を前記利用者に対して発行するステップと、d）前記発行された商品券の情報を商品券データベースに保存するステップと、e）前記商品券の購入明細を前記利用者にメッセージの形態で知らせるステップとを含む。
【００１４】
また、本発明の他の態様において、商品券データベース及び商品券サービスサーバを含む商品券サービスシステムのための、有無線ネットワークを通じた通信端末による要求に応じて電子商品券の贈与を管理する電子商品券流通方法は、a）前記通信端末から利用者の贈与要請を受信するステップと、b）前記利用者が所有している商品券の存在状況を前記商品券データベースに問い合わせ、前記存在状況を判断するステップと、c）前記利用者の商品券が確認された場合には、贈与する商品券の情報及び譲受人に関する情報を受信するステップと、d）前記利用者が選択した商品券を前記譲受人に伝送するステップと、e）前記利用者の商品券の情報を更新し、前記譲受人の商品券の情報とともに、該更新された情報を前記商品券データベースに保存するステップと、f）前記商品券の贈与情報を前記利用者にメッセージの形態で知らせるステップとを含む。
【００１５】
また、本発明のさらに他の態様において、商品券データベース及び商品券サービスサーバを含む商品券サービスシステムのための、有無線ネットワークを通じた通信端末による要求に応じて電子商品券の使用を管理する電子商品券流通方法は、a）前記通信端末から利用者の使用要請を受信するステップと、b）前記利用者が所有している商品券の存在状況を前記商品券データベースに問い合わせ、前記存在状況を判断するステップと、c）前記商品券で代金を決済し、前記決済が可能であるかどうかを判断するステップと、d）前記決済が可能な場合には、前記商品券の使用を許可して、前記代金情報による決済を処理するステップと、e）前記利用者の商品券の情報を決済し、決済情報を更新し、該更新された情報を前記商品券データベースに保存するステップと、f）前記商品券使用情報を前記利用者にメッセージの形態で知らせるステップとを含む。
【発明の効果】
【００１６】
本発明は、電子商品券管理システム及び移動通信システムを一つに統合してそれぞれに対応する作業が処理されるので、電子商品券流通システムを単純化すると同時に、迅速且つ正確な電子商品券の購入、贈与、及び使用が可能となる。
【００１７】
また、本発明は、電子商品券管理システム及び移動通信システムを一つに統合してそれぞれに対応する作業が処理されるので、通信端末を通じて電子商品券を利用する場合に、追加の決済手続を必要とせず、利用者は直接、電子商品券を購入、又は贈与し、使用することができる。
【発明を実施するための最良の形態】
【００１８】
以下の詳細な説明では、本発明を行った本発明者によって熟考された最良の態様の実例として、本発明に係る好適な実施例のみが示され且つ説明される。以下明らかになるように、本発明は、本発明から逸脱することなく別種明らかな事項について変更可能である。したがって、以下の図及び詳細な説明は例示に過ぎず、本発明を限定するものではない。
【００１９】
図１は本発明の好適な実施例に係る電子商品券流通システムを示す図である。
【００２０】
電子商品券サービスシステム２００は、システム管理サーバ２１０、商品券サービスサーバ２２０、商品券データベース２３０、コンテンツデータベース２３５、ウェブサーバ２４０、及びMEサーバ２５０を備える。電子商品券流通システムは、電子商品券サービスシステム２００、VAN２６０を経由するチェーンストア、有線ネットワーク２７０を経由するチェーンストア及びコンピュータ、無線ネットワーク２８０を経由する通信端末、並びに、ＫＦＴＣ（Korean Financial Telecommunications and Clearing Institute、韓国金融決済院）を含む。
【００２１】
また、商品券サービスサーバ２２０は、決済管理部２２１、バーコード管理部２２２、決済管理部２２３、利用者認証モジュール２２４、商品券販売モジュール２２５、商品券贈与モジュール２２６、及び商品券使用モジュール２２７を備える。
【００２２】
電子商品券サービスシステム２００は、有無線ネットワークを利用する通信端末を認証且つ管理し、有無線ネットワークまたはVANを通じたチェーンストアの電子商品券の購入、贈与、及び使用を認証且つ管理するシステムである。
【００２３】
システム管理サーバ２１０は、電子商品券の流通を管理する電子商品券サービスシステム２００の全般的な動作を管理するサーバである。
【００２４】
商品券サービスサーバ２２０は、システム管理サーバ２１０の統制下で通信端末やチェーンストアからの電子商品券流通サービスに対する要請を認証且つ管理するサーバである。
【００２５】
まず、決済管理部２２１は、利用者が電子商品券を購入し、その使用を要請したときに、商品券流通システム内で内部決済処理を行う。バーコード管理部２２２は、電子商品券のバーコードを管理する。決済管理部２２３は、利用者が電子商品券を贈与し、使用することによって変動した事項に対して決済を行う。
【００２６】
また、利用者認証モジュール２２４は、商品券データベース２３０と協働して、利用者の電子商品券の贈与または使用が正当か否かを判断する。そして、商品券販売モジュール２２５は、電子商品券の利用者に対する販売を管理し、商品券贈与モジュール２２６は、電子商品券の贈与を管理し、商品券使用モジュール２２７は、電子商品券の使用を管理する。
【００２７】
商品券データベース２３０は、利用者認証モジュール２２４の要請に応じて利用者の電子商品券の贈与または使用が正当か否かを判断するための各種データを保存している。したがって、商品券データベース２３０は、利用者が商品券会員であることを認証するための利用者が購入した商品券の履歴と共に贈与履歴及び使用履歴を保存し、利用者による商品券の贈与や使用が正当であるかどうかを判断するデータとして活用される。商品券の履歴については、例えば種類別、発行者別及び商品券の金額別に分類される。
【００２８】
コンテンツデータベース２３５は、電子商品券と共にギフトとして利用できる項目、例えば電話の着信音、バックグランドミュージック、テーマカード、キャラクターなどに関するアイテムを保存している。このような追加ギフトは、電子商品券サービスシステム２００内のコンテンツデータベース２３５によって提供されるが、利用者の要請に応じて外部のコンテンツプロバイダでも提供されうる。
【００２９】
ウェブサーバ２４０及びMEサーバ２５０は、各々有線ネットワーク及び無線ネットワークを通じて利用者やチェーンストアにアクセスされて、利用者やチェーンストアと情報を交換する。
【００３０】
直接クレジットカードなどによる決済がある場合には、ウェブサーバ２４０及びMEサーバ２５０は、VAN２６０または金融決済院２９０にアクセスする。
【００３１】
また、MMS（multimedia message service）またはSMSC（short message service center）を含むメッセージサービス手段は、商品券サービスサーバ２２０にアクセスされて、商品券サービスサーバ２２０の指示に応じて利用者の電子商品券の購入、贈与、及び使用の結果をメッセージの形態で通信端末に伝送する。
【００３２】
次に、上述した構成を有する電子商品券流通システムの管理方法について、図２乃至図４を参照して説明する。ここで、利用者は電子商品券を購入し、贈与し、及び使用するための商品券会員として登録されるが、これは好適な実施例に過ぎず、電子商品券を利用するためにいかなる特別な会員資格も必要としない場合も可能であり、これは当業者にとって自明である。つまり、電子商品券を購入、贈与、及び使用する場合、携帯端末の使用の間に認証処理が行われるので、追加の認証処理が必要ないのである。また、携帯端末の認証情報で電子商品券の購入、贈与、及び使用に関する後続処理を容易に行うことができる。
【００３３】
図２は本発明の第１の好適な実施例に係る電子商品券販売についてのフローチャートである。したがって、上述した電子商品券流通システムを利用して利用者が電子商品券を購入する場合について説明する。
【００３４】
まず、商品券サービスサーバ２２０は、利用者から携帯端末やコンピュータを通じて伝送される商品券購入要請信号を受信する（ステップＳ１０）。
【００３５】
その後、利用者が商品券の種類、金額、枚数を選択してクリックした場合、商品券サービスサーバ２２０は、その内容を受信し（ステップＳ２０）、次いで、決済要請信号を受信する（ステップＳ３０）。
【００３６】
このような決済要請に応じて、商品券サービスサーバ２２０は、利用者がこのサービスを利用できるかどうかを調査するために、購入要請信号の利用者コードを商品券データベース２３０に問い合わせる信号を送信し（ステップＳ４０）、それに対する応答信号を受信する（ステップＳ５０）。
【００３７】
商品券サービスサーバ２２０は、会員であるか否かを判断して（ステップＳ６０）、利用者が会員でない場合には、会員として加入するかどうかを訊ねる（ステップＳ６０´）。利用者が会員登録を拒絶した場合には、ステップＳ１０に戻り、商品券購入要請信号を待つ待機状態になる。
【００３８】
利用者が会員となることを希望して会員登録処理を行った場合や（ステップＳ６０"）、または既に会員である場合には、利用者は商品券流通システムによる内部決済処理及び外部機関を経る外部決済の中から決済方法に応じて希望する決済方法を選択する（ステップＳ７０）。内部決済は移動通信料金などに決済代金を加えて決済する方法を言い、外部決済はクレジットカード、銀行口座振込などで決済代金を決済することを言う。
【００３９】
利用者が内部決済を選択した場合には、商品券サービスサーバ２２０の決済管理部２２１を通じて内部決済が行われ（ステップＳ８０）、外部決済を選択した場合には、VAN２６０や金融決済院２９０を通じて外部機関に問い合わせすることによって決済が行われる（ステップＳ８０’）。
【００４０】
上述した処理内容は、利用者が通信端末を通じて商品券を購入する場合には、その内容を端末に表示して、利用者がインターネットなどを利用する場合には、SMS（short message service）やMMS（multimedia service）を通じて、利用者に知らされる。
【００４１】
このような処理によって利用者に電子商品券が付与され、贈与し、または使用することが可能になる。
【００４２】
図３は本発明の第２の好適な実施例に係る電子商品券贈与を示すフローチャートであり、上述した電子商品券流通システムを利用して利用者が電子商品券を贈与する場合について説明する。
【００４３】
まず、商品券サービスサーバ２２０は、利用者から携帯端末やコンピュータを通じて伝送される商品券贈与要請信号を受信する（ステップＳ１１０）。
【００４４】
その後、商品券サービスサーバ２２０は、商品券贈与要請信号の利用者コードを利用して会員資格の状況を判断して（ステップＳ１２０）、利用者が会員である場合には、利用者が商品券を所有しているか否かを判断し（ステップＳ１３０）、利用者が会員でない場合には、会員登録処理及び商品券購入処理を行う（ステップＳ１３０’）。
【００４５】
その結果、商品券を所有している利用者が贈与する商品券の種類及び枚数を選択した場合、商品券サービスサーバ２２０は、その選択情報を受信し（ステップＳ１４０）、譲受人の電話番号など譲受人を指し示すデータ及び伝達しようとするメッセージを受信する（ステップＳ１５０）。
【００４６】
商品券サービスサーバ２２０は、利用者に商品券と伝送するギフトを選択させ、その選択事項を受信し、商品券と共に伝送するギフトのリストを作成する（ステップＳ１６０）。このようなギフトとしては、電話の着信音、バックグランドミュージック、テーマカード、キャラクター、歌などがある。
【００４７】
商品券サービスサーバ２２０は、商品券を含むリストを利用者に伝送し、利用者はギフト明細を確認することができ（ステップＳ１７０）、商品券サービスサーバ２２０は、利用者の確認回答に応じて、商品券及びギフトを譲受人に伝送する（ステップＳ１８０）。
商品券サービスサーバ２２０は、利用者が通信端末を通じて商品券を購入する場合には、上述した処理データを、その内容を端末のディスプレイを通じて利用者に知らせ、利用者がインターネットなどを利用する場合には、SMSまたはMMSを通じて処理データを送信するように要請する。もし、譲受人がギフトの受領を拒否する場合には、商品券サービスサーバ２２０は、拒否の旨を利用者に知らせる。
【００４８】
図４は本発明の第３の好適な実施例に係る電子商品券流通システムを利用する電子商品券使用を示すフローチャートである。
【００４９】
まず、商品券サービスサーバ２２０は、チェーンストアを通じて伝送される商品券使用要請信号を受信する（ステップＳ２１０）。
【００５０】
その後、商品券サービスサーバ２２０は、商品券使用要請信号の利用者コードを利用して会員資格の状況を判断して（ステップＳ２２０）、利用者が会員である場合には、利用者が商品券を所有しているか否かを判断し（ステップＳ２３０）、利用者が会員でない場合には、会員登録処理及び商品券購入処理を行う（ステップＳ２３０´）。
【００５１】
商品券を所有している利用者が使用する商品券の種類及び枚数を選択した場合、商品券サービスサーバ２２０は、その選択情報を受信し（ステップＳ２４０）、さらに、利用者が購入しようとする物品の代金額も受信する（ステップＳ２５０）。
【００５２】
その後、商品券サービスサーバ２２０は、利用者の商品券を決済し（ステップＳ２６０）、当該利用者が現在の代金額に対して商品券を使用することができるかを判断し（ステップＳ２７０）、決済が可能な場合には、利用者に商品券の使用を許可する使用認証信号を送信し（ステップＳ２８０）、そうでない場合には、使用拒否信号を送信する（ステップＳ２８０’）。
【００５３】
商品券サービスサーバ２２０は、利用者が通信端末を通じて商品券を購入する場合には、上述した処理データを、その内容を端末のディスプレイを通じて利用者に知らせ、利用者がインターネットなどを利用する場合には、SMSまたはMMSを通じて処理データを送信するように要請する。
【００５４】
上述のように電子商品券を使用する方法は通信端末に表示されるバーコード及び通信端末に内蔵されているスマートカードによって行われる。
【００５５】
特に、このようなスマートカードを内蔵したケイマース（K-merce）フォンはクレジットカード機能を有し、これにより、クレジットカード会社に対して決済処理を要請する。したがって、決済処理が外部機関によって行われるので、図１０に示すように通信上のエラーによっても商品券の承認が拒否されうる。
【００５６】
さらに、通信端末を利用せずに、通信サービスプロバイダまたは流通会社などの会員認証用会員証やブランドカードを利用して電子商品券を決済することもできる。従来のカード端末に会員証やブランドカードを組み合わせ、決済処理を行い、電子商品券を利用することができるようにするために、本決済方法では、チェーンストアのカード端末を電子商品券流通システムに接続する。
【００５７】
また、利用者は、ウェブサーバ２４０に接続された有線ネットワーク２７０を通じてアクセスされる加入者のコンピュータなどの端末を通じてオンラインショッピングモールなどで所望の商品を購入し、自身の電子商品券でオンライン決済を行うこともできる。この場合、本発明の実施例に係る電子商品券流通システムでは、オンラインショッピングモールなどを通じて加入者の通信端末の電話番号、及び電子商品券パスワードを使用して利用者を認証し、当該電子商品券を決済することができる。
【００５８】
次に、図５乃至図１０を参照して、通信端末を通じて電子商品券を購入、贈与、及び使用する処理について詳細に説明する。
【００５９】
図５は本発明の好適な実施例に係る通信端末、すなわち、モバイルユーザーインターフェイスに表示される商品モールのサービス類型を示す図である。
【００６０】
まず、符号３００は、通信端末に表示される電子商品券の購入、贈与、使用などを選択するモードを示している。ここには、通知、商品券の照会、商品券かご、コールセンターも表示されている。利用者はこの中から一つを選択して所望の機能を実行させることができる。
【００６１】
符号３１０は、イベント、当選者発表、通知事項のための通知を示し、電子商品券についての情報を表示する。
【００６２】
符号３２０は、商品券の購入を示し、利用者が電子商品券を購入しようとする場合に該利用者が選択する。この機能を選択することによって、利用者は、通信端末を通じて電子商品券を購入し、商品券を所有し、贈与し、使用することができる。
【００６３】
符号３３０は、商品券の照会を示し、利用者が電子商品券を購入する前に商品券に関する情報を予め把握するために、照会機能を選択する。照会機能は、典型的に、商品別及び金額別に照会する。
【００６４】
符号３４０は、商品券の贈与機能を示し、利用者が電子商品券を購入して、これを他人に贈与しようとする場合に選択する。このような贈与処理は、電話の着信音、カードなどと組み合わせることができる。
【００６５】
符号３５０は、買い物かごを示し、利用者が、購入履歴、使用履歴、残高、及び贈与履歴を含む、商品券に関する情報、について調べたい場合に選択する。この機能によって、利用者は、自身の電子商品券に関する情報を十分に確認することができる。
【００６６】
符号３６０は商品券の利用案内を示し、利用者が電子商品券の購入、贈与、及び使用について詳細な説明が必要である時に選択する。
【００６７】
符号３７０は、コールセンターを示し、利用者が商品券の利用案内を通じても解決できない問題が生じた時に、システム管理者に問い合わせたい場合に選択する。
【００６８】
通信端末の上述したようなモードを適切に選択することによって、利用者は、電子商品券の購入、贈与、及び使用を容易に行うことができる。さらに、利用者は、コンピュータを通じて電子商品券を購入し、贈与し、及び使用することができ、また、オフラインのチェーンストアで購入した電子商品券を使用することができる。
【００６９】
図６は本発明の好適な実施例に係る、モバイルユーザーインターフェイスとしての通信端末を利用して商品券を購入する処理を示す図である。図５の商品モールで利用者が商品券の購入を選択する場合に実行される販売処理であって、図２の販売処理を通信端末の、つまり利用者の観点から詳細に示した。一つ一つボタンをクリックすることによって、利用者は、例えば図に示すようにデパート商品券の項目を選択し、その中からロッテデパートの項目を選択して、次に金額及び枚数を選択して決済する。
【００７０】
決済は、利用者が会員として登録された後、クレジットカード、銀行口座振込、携帯電話料金などで行うことができる。利用者が既に会員であるか会員に加入した場合には、利用者は決済処理を行い、所望の商品券をダウンロード処理を通じて受け取る。他の実施例では、商品券会員の資格状況に拘わらず、移動通信サービスプロバイダの会員であれば、このようなサービスを受けることができる。
【００７１】
さらに、商品券の１つとして、KTF商品券、すなわち、移動通信サービスプロバイダ自身が発行する移動通信サービスプロバイダ商品券というものがある。これを利用する場合には、他の商品券とは異なって、外部の他の機関、例えばデパート商品券の発行機関を経ずに商品券の購入することができるので、本好適な実施例の利点を最もよく生かせる。移動通信サービスプロバイダの商品券は、移動通信サービスプロバイダとチェーンストア契約を結んでいる店舗、例えば、デパート、ガソリンスタンド、食堂であればどこでも、使用することができる汎用商品券であるので、その効用性がさらに高い。
【００７２】
図７は本発明の好適な実施例に係る、利用者が図５の商品モールで商品券照会機能を選択した場合における、モバイルユーザーインターフェイスとしての通信端末を利用して商品券を照会する処理を示す図である。
【００７３】
利用者が各項目をクリックすることによって、利用者は、デパート商品券の項目を選択し、ロッテデパートの項目を選択し、利用者が所有している金額及び枚数を確認する。
【００７４】
図８は本発明の好適な実施例に係る、利用者が図５の商品モールで商品券贈与機能を選択する場合における、モバイルユーザーインターフェイスとしての通信端末を利用して商品券を贈与する処理を示す図である。
【００７５】
このような商品券の贈与は、携帯電話の一般モード、すなわち、移動通信サービスプロバイダのサービス、ケイマースフォンのRFまたはIrDA端末を通じて行うことができる。
【００７６】
贈与方法の選択に応じて通信端末に適切な画面モードが表示され、利用者は、譲受人の電話番号及びメッセージ内容を入力し、利用者がメッセージと共に、ギフト、例えば電話の着信音、バックグランドミュージック、カードを伝送したいときには、これらの１つを選択して、商品券と組み合わせて一つのギフトを作る。利用者がパッケージ化されたギフトを確認し、確認ボタンをクリックすれば、当該ギフトが当該相手に伝送され、確認メッセージが通信端末を通じて表示される。
【００７７】
図９は本発明の好適な実施例に係る、商品モールで利用者が買い物かごを選択した場合における、モバイルユーザーインターフェイスとしての通信端末を利用して図５の商品モールの買い物かごを調べる処理を示す図である。この処理は、購入履歴、使用履歴、残額及び贈与履歴の照会を含む。
【００７８】
購入履歴の照会によって利用者は商品券のリストを確認し、所望の商品券を使用することができる。商品券の確認を通じて通信端末にバーコード商品券が表示された場合、利用者はバーコード商品券をオフラインのチェーンストアに提示することによって商品券を使用する。また、利用者は、有線インターネットのウェブサーバまたは無線インターネットのMEサーバ上に存在するオンラインショッピングモールで商品券をオンラインで使用する。
【００７９】
購入履歴の照会によって商品券を使用した利用者の履歴が表示され、残額の照会によって各商品券別に残っている残額が表示され、贈与履歴の照会によって利用者が既に贈与した商品券に関する情報が表示される。
【００８０】
図１０は本発明の好適な実施例に係る、モバイルユーザーインターフェイスとしての通信端末を利用して商品券を使用する処理を示す図であり、図５乃至図９と異なる、ケイマースフォンを利用して電子商品券をオフラインのチェーンストアで使用する、図５乃至図９と異なる場合について説明する。ここでは付け加えられた外装型ボタンを押して図で示す画面を表示し、商品券/チケットボタンを押して商品券使用処理を開始する。
【００８１】
利用者は、商品券を使用する権限を与えるためのPIN番号を入力し、商品券の種類を選択し、承認を受けるためにIrDA端末にアクセスし、これにより、POS端末などにその処理結果が表示されて、利用者は商品券を使用する。
【００８２】
もちろん、この処理でPIN番号入力エラー、通信エラー、承認エラーなどによって商品券の使用が拒否される場合もある。このようなエラーの場合には、現在のメニューは自動的に通信端末の初期メニューに戻る。
【００８３】
いままでの説明は、利用者が商品券を購入し、贈与し、及び使用する場合に生じる処理を、通信端末と商品券サービスシステムとの間の通信に関して述べられている。すなわち、利用者が通信端末を通じて商品券利用信号を商品券サービスシステムに送信した場合、商品券サービスシステムは、これに相当する情報を端末に伝送し、利用者が特定の機能を選択し、これらの処理は、所定の作業が終了するまで、繰り返されるが、本発明は上述した実施例に限定されるわけではなく、以下のように変更可能である。
【００８４】
他の方法は、図５乃至図１０に表示されるメニューを通信端末に保存する、したがって、商品券サービスサーバと協働せずに処理される項目は端末自体で処理し、その結果を端末に保存するともに、商品券サービスシステムにも伝達して商品券データベースに保存する方法である。この方法では、端末のさらなる保存容量が必要であるにもかかわらず、通信速度が遅い場合に、より効果的であると言える。この場合には、端末自体で処理される項目を制御する装置を必要とするが、このような装置は当業者に知られているため、ここではそれについての説明は省略する。
【００８５】
本発明は、直ちに最も有用且つ好適な実施例に関連して説明されたが、これらの開示された実施例に本発明が制限されず、本発明の従属請求項の思想及び範囲内にある数々の変形例や同等の構成を包括することを意図している。
【図面の簡単な説明】
【００８６】
【図１】本発明の好適な実施例に係る電子商品券流通システムを示す図である。
【図２】本発明の第１の好適な実施例に係る電子商品券販売を示すフローチャートである。
【図３】本発明の第２の好適な実施例に係る電子商品券贈与を示すフローチャートである。
【図４】本発明の第３の好適な実施に係る電子商品券使用を示すフローチャートである。
【図５】本発明の好適な実施例に係る通信端末、すなわち、モバイルユーザーインターフェイスに表示される商品モールのサービス類型を示す図である。
【図６】本発明の好適な実施例に係る、モバイルユーザーインターフェイスとしての通信端末を利用して商品券を購入する処理を示す図である。
【図７】本発明の好適な実施例に係るモバイルユーザーインターフェイスとしての通信端末を利用して商品券を照会する処理を示す図である。
【図８】本発明の好適な実施例に係るモバイルユーザーインターフェイスとしての通信端末を利用して商品券を贈与する処理を示す図である。
【図９】本発明の好適な実施例に係るモバイルユーザーインターフェイスとしての通信端末を利用して商品モールの買い物かごを調べる処理を示す図である。
【図１０】本発明の好適な実施例に係るモバイルユーザーインターフェイスとしての通信端末を利用して商品券を使用する処理を示す図である。
【符号の説明】
【００８７】
２００  商品券サービスシステム
２１０  システム管理サーバ
２２１  決済管理部
２２２  バーコード管理部
２２３  演算部
２２４  利用者認証モジュール
２２５  商品券販売モジュール
２２６  商品券贈与モジュール
２２７  商品券使用モジュール
２３０  商品券データベース
２３５  コンテンツデータベース
２６０  ＶＡＮ
２７０  有線ネットワーク
２８０  無線ネットワーク
２９０  ＫＦＴＣ
２４０  ウェブサーバ
２５０  MEサーバ
【図１】
2005539327.tif 000003
【図２】
2005539327.tif 000004
【図３】
2005539327.tif 000005
【図４】
2005539327.tif 000006
【図５】
2005539327.tif 000007
【図６】
2005539327.tif 000008
【図７】
2005539327.tif 000009
【図８】
2005539327.tif 000010
【図９】
2005539327.tif 000011
【図１０】
2005539327.tif 000012
【手続補正書】
【提出日】平成16年10月22日(2004.10.22)
【手続補正１】
【補正対象書類名】特許請求の範囲
【補正対象項目名】全文
【補正方法】変更
【補正の内容】
【特許請求の範囲】
【請求項１】
有無線ネットワークを通じた利用者の通信端末による要求に応じて電子商品券の販売、贈与、及び使用を管理する商品券サービスシステムにおいて、
前記通信端末からの電子商品券に関する購入、贈与、及び使用動作を管理する商品券サービスサーバと、
前記商品券サービスサーバにアクセスされ、電子商品券の情報を保存して、前記商品券サービスサーバからの電子商品券の利用問い合わせに対する応答を処理する商品券データベースと、
前記商品券サービスサーバにアクセスされると同時に、前記有無線ネットワークを通じて前記利用者の通信端末にアクセスされて、電子商品券の購入、贈与、及び使用に関する利用者インターフェース機能を行い、利用者の商品券の購入明細及び当該商品券の利用のための商品券情報を前記通信端末に伝送するネットワークサーバとを含む、商品券サービスシステム。
【請求項２】
前記商品券サービスサーバは、
前記通信端末から利用者の購入要請を受信する手段と、
前記利用者が購入した電子商品券に対する決済の状況を調査する手段と、
前記利用者が決済を要求する場合、前記利用者が購入した電子商品券を決済して、前記購入された電子商品券を前記利用者に対して発行する手段と、
前記発行された商品券の情報を前記商品券データベースに保存する手段と、
前記商品券の購入明細を前記利用者にメッセージの形態で知らせる手段とを含む、請求項１に記載の商品券サービスシステム。
【請求項３】
前記商品券サービスサーバは、
前記通信端末から利用者の贈与要請を受信する手段と、  
前記利用者が所有している商品券の存在状況を前記商品券データベースに問い合わせ、前記存在状況を判断する手段と、
前記利用者の商品券が確認された場合には、贈与する商品券の情報及び譲受人に関する情報を受信する手段と、
前記利用者が選択した商品券を前記譲受人に伝送する手段と、
前記利用者の商品券の情報を更新し、前記譲受人の商品券の情報とともに、該更新された情報を前記商品券データベースに保存する手段と、
前記商品券の贈与情報を前記利用者にメッセージの形態で知らせる手段とを含む、請求項１に記載の商品券サービスシステム。
【請求項４】
前記通信端末から利用者の使用要請を受信する手段と、
前記利用者が所有している商品券の存在状況を前記商品券データベースに問い合わせ、前記存在状況を判断する手段と、
前記商品券で代金を決済し、該決済が可能であるかどうかを判断する手段と、
前記決済が可能な場合には、前記商品券の使用を許可して、前記代金情報による決済を処理する手段と、
前記利用者の商品券の情報を決済し、該決済情報を更新し、該更新された情報を前記商品券データベースに保存する手段と、
前記商品券使用情報を前記利用者にメッセージの形態で知らせる手段とを含む、請求項１に記載の商品券サービスシステム。
【請求項５】
商品券データベースと及び商品券サービスサーバを含む商品券サービスシステムのための、有無線ネットワークを通じた通信端末による要求に応じて電子商品券の販売を管理する電子商品券流通方法において、
a）前記通信端末から利用者の購入要請を受信するステップと、
b）前記利用者が購入した電子商品券に対する決済の状況を調査するステップと、
c）前記利用者が決済を要求する場合、前記利用者が購入した電子商品券を決済して、前記購入された電子商品券を前記利用者に対して発行するステップと、
d）前記発行された商品券の情報を前記商品券データベースに保存するステップと、
e）前記商品券の購入明細及び当該商品券の利用のための商品券情報を前記利用者にメッセージの形態で知らせるステップとを含む、電子商品券流通方法。
【請求項６】
前記利用者の会員認証の状況を調査するステップをさらに含む、請求項５に記載の電子商品券流通方法。
【請求項７】
前記a）ステップにおいて、前記購入要請には、利用者が所望する商品券の種類、金額、枚数についての情報が含まれる、請求項５に記載の電子商品券流通方法。
【請求項８】
前記c）ステップにおいて、前記購入された電子商品券の決済代金には前記利用者の通信端末の使用料金が合算され、該合算された代金及び料金が決済される、請求項５に記載の電子商品券流通方法。
【請求項９】
前記e）ステップにおいて、前記メッセージの形態はSMS（Short Message Service）形式またはMMS（Multimedia Message Service）形式を含む、請求項５に記載の電子商品券流通方法。
【請求項１０】
商品券データベース及び商品券サービスサーバを含む商品券サービスシステムのための、有無線ネットワークを通じた通信端末による要求に応じて電子商品券の贈与を管理する電子商品券流通方法において、
a）前記通信端末から利用者の贈与要請を受信するステップと、
b）前記利用者が所有している商品券の存在状況を前記商品券データベースに問い合わせ、前記存在状況を判断するステップと、
c）前記利用者の商品券が確認された場合には、贈与する商品券の情報及び譲受人に関する情報を受信するステップと、
d）前記利用者が選択した商品券を前記譲受人に伝送するステップと、
e）前記利用者の商品券の情報を更新し、前記譲受人の商品券の情報とともに、該更新された情報を前記商品券データベースに保存するステップと、
f）前記商品券の贈与情報を前記利用者にメッセージの形態で知らせるステップとを含む、電子商品券流通方法。
【請求項１１】
前記a）ステップとb）ステップとの間に、前記利用者の会員認証の状況を調査するステップをさらに含み、
前記b）ステップにおいて、前記利用者が所有している商品券がない場合には、商品券の購入処理を行うステップをさらに含む、請求項１０に記載の電子商品券流通方法。
【請求項１２】
前記c）ステップの後、前記商品券と共に送達するギフトの有無を判断するステップと、
前記判断に応じて、前記追加ギフトがある場合には、それに関する情報を受信するステップと、
前記d）ステップにおいて、前記商品券と前記追加ギフトを前記譲受人に伝送する、請求項１０に記載の電子商品券流通方法。
【請求項１３】
前記追加ギフトは、携帯電話の着信音、テーマカード、バックグランドミュージック、及びキャラクターを含む、請求項１２に記載の電子商品券流通方法。
【請求項１４】
前記f）ステップにおいて、前記メッセージの形態はSMS（Short Message Service）形式またはMMS（Multimedia Message Service）形式を含む、請求項１０に記載の電子商品券流通方法。
【請求項１５】
商品券データベース及び商品券サービスサーバを含む商品券サービスシステムのための、有無線ネットワークを通じた通信端末による要求に応じて電子商品券の使用を管理する電子商品券流通方法において、
a）前記通信端末に保存された商品券の情報のうちから利用者によって選択される商品券の使用要請を前記通信端末から受信するステップと、
b）前記利用者が所有している商品券の存在状況を前記商品券データベースに問い合わせ、前記存在状況を判断するステップと、
c）前記商品券で代金を決済し、前記決済が可能であるかどうかを判断するステップと、
d）前記決済が可能な場合には、前記商品券の使用を許可して、前記代金情報による決済を処理するステップと、
e）前記利用者の商品券の情報を決済し、決済情報を更新し、該更新された情報を前記商品券データベースに保存するステップと、
f）前記商品券使用情報を前記利用者にメッセージの形態で知らせるステップとを含む、電子商品券流通方法。
【請求項１６】
前記a）ステップと前記b）ステップとの間に、前記利用者の会員認証の状況を調査するステップをさらに含み、
前記b）ステップにおいて、前記利用者が所有している商品券がない場合には、商品券の購入処理を行うステップをさらに含む、請求項１５に記載の電子商品券流通方法。
【請求項１７】
前記f）ステップにおいて、前記メッセージの形態はSMS（Short Message Service）形式またはMMS（Multimedia Message Service）形式を含む、請求項１５に記載の電子商品券流通方法。
【請求項１８】
前記a）ステップにおける前記使用要請は、前記利用者の移動通信端末から伝送される、請求項１５に記載の電子商品券流通方法。
【請求項１９】
前記移動通信端末は、クレジットカード機能を有する、請求項１８に記載の電子商品券流通方法。
【請求項２０】
前記a）ステップにおいて、前記使用要請は、前記利用者のカード使用に応じてチェーンストアのカード端末から伝送される、請求項１５に記載の電子商品券流通方法。
【請求項２１】
前記利用者のカードは、通信サービスプロバイダ及び流通会社を含むサービスプロバイダの会員認証用会員証である、請求項２０に記載の電子商品券流通方法。
【請求項２２】
前記利用者のカードは、ブランドカードである、請求項２０に記載の電子商品券流通方法。
【請求項２３】
前記a）ステップにおいて、前記使用要請は、前記利用者がオンラインショッピングモールを含むオンラインショップで所望の商品を購入し、前記電子商品券を使用したオンライン決済を要求する場合に、前記オンラインショップから伝送される、請求項１５に記載の電子商品券流通方法。
【手続補正２】
【補正対象書類名】明細書
【補正対象項目名】００１３
【補正方法】変更
【補正の内容】
【００１３】
本発明の態様において、商品券データベース及び商品券サービスサーバを含む商品券サービスシステムのための、有無線ネットワークを通じた通信端末による要求に応じて電子商品券の販売を管理する電子商品券流通方法は、a）前記通信端末から利用者の購入要請を受信するステップと、b）前記利用者が購入した電子商品券に対する決済の状況を調査するステップと、c）前記利用者が決済を要求する場合、前記利用者が購入した電子商品券を決済して、前記購入された電子商品券を前記利用者に対して発行するステップと、d）前記発行された商品券の情報を商品券データベースに保存するステップと、e）前記商品券の購入明細及び当該商品券の利用のための商品券の情報を前記利用者にメッセージの形態で知らせるステップとを含む。
【手続補正３】
【補正対象書類名】明細書
【補正対象項目名】００１４
【補正方法】変更
【補正の内容】
【００１４】
また、本発明の他の態様において、商品券データベース及び商品券サービスサーバを含む商品券サービスシステムのための、有無線ネットワークを通じた通信端末による要求に応じて電子商品券の贈与を管理する電子商品券流通方法は、a）前記通信端末から利用者の贈与要請を受信するステップと、b）前記利用者が所有している商品券の存在状況を前記商品券データベースに問い合わせ、前記存在状況を判断するステップと、c）前記利用者の商品券が確認された場合には、贈与する商品券の情報及び譲受人に関する情報を受信するステップと、d）前記利用者が選択した商品券を前記譲受人に伝送するステップと、e）前記利用者の商品券の情報を更新し、前記譲受人の商品券の情報とともに、該更新された情報を前記商品券データベースに保存するステップと、f）前記商品券の贈与明細及び当該商品券の利用のための商品券の情報を前記利用者にメッセージの形態で知らせるステップとを含む。
【手続補正４】
【補正対象書類名】明細書
【補正対象項目名】００１５
【補正方法】変更
【補正の内容】
【００１５】
また、本発明のさらに他の態様において、商品券データベース及び商品券サービスサーバを含む商品券サービスシステムのための、有無線ネットワークを通じた通信端末による要求に応じて電子商品券の使用を管理する電子商品券流通方法は、a）前記通信端末に保存された商品券の情報のうちから利用者によって選択された商品券の使用要請を前記通信端末から受信するステップと、b）前記利用者が所有している商品券の存在状況を前記商品券データベースに問い合わせ、前記存在状況を判断するステップと、c）前記商品券で代金を決済し、前記決済が可能であるかどうかを判断するステップと、d）前記決済が可能な場合には、前記商品券の使用を許可して、前記代金情報による決済を処理するステップと、e）前記利用者の商品券の情報を決済し、決済情報を更新し、該更新された情報を前記商品券データベースに保存するステップと、f）前記商品券使用情報を前記利用者にメッセージの形態で知らせるステップとを含む。


【国際調査報告】
2005539327.tif 000013